(57)【要約】      （修正有）【課題】  最も身近な親族が一同に会する挙式、葬儀において、贈答用即行画像系図の作成方法を提供する。【解決手段】  贈答用即行画像系図を提供することを可能にするソフト手段として、挙式においては挙式前日までに、また葬儀においては遅くても告別式前までに必要な文字データ情報と画像データ情報を入力記憶させた贈答用即行画像系図ファイルを作成し、一枚の紙面、または画面に収まるよう簡素表示の最終デザインレイアウトを施した贈答用即行画像系図出力ファイルを作りあげておく。これにより後半の作業は写真撮影、画像の更新、記念写真挿入、出力作業、贈答仕様作業の一連の工程として、その短時間作製を可能にするものである。また過去に執り行われた冠婚葬祭時の情報を基に本発明を作成する場合はご家庭に保存されてるアルバム、記念写真等、また当事者からの情報等が入力データ源の手段となる。【選択図】図１
2007149040.tif 000002
【特許請求の範囲】
【請求項１】
最も身近な親族が列席する挙式、葬儀において下記なる作業１、２を遂行することを特徴とする贈答用即行画像系図。
作業１：挙式においては式が執り行われることに関するデータ情報と画像家系図を表示するための両家と親族のデータ情報を入力記憶させた贈答用即行画像系図ファイルを挙式前日までに作成する作業であり、同様に葬儀においては式が執り行われることに関するデータ情報と画像家系図を表示するための故人と遺族と親族のデータ情報を入力記憶させた贈答用即行画像系図ファイルを通夜終日までに作製する作業である。
作業２：１枚の紙面にまた画面に、その画像での繋がりの全体像を収めることを目的とする簡潔表示デザインレイアウトを達成するために、１家族の家系図を最小表示単位の１ブロックとし、そのブロックごとの表示倍率を変え、フレキシブルな配置をすることで限りある余白の有効利用を図る。基準となるブロックの表示倍率は挙式に於いては両家であり、また葬儀に於いては遺族となる。挙式に於いては両家、新郎新婦の祝賀仕様表示であり、同様に葬儀に於いては故人の哀悼仕様表示となる。各家系の繋がりを示す手段として同一人物の画像を実線にて連結する。家系図を表示修飾する題字、背景、関連データを追加し、即出力可能な最終デザインレイアウトの贈答用即行画像系図出力ファイルを挙式に於いては挙式前日までに、同様に葬儀に於いては通夜終日までに作製する作業である。
【請求項２】
請求項１記載の作業に基づき、挙式当日に於いては正式画像となる両家、親族の写真を挙式の始まるまでの待ち時間に撮る。また葬儀に於いては撮り残した遺族、親族の写真を告別式始まるまでに撮り通夜からの作業を補足する。正確を帰するために必要に応じては映像表示機器を利用し作成過程の視覚的誤謬確認作業を併行させ、迅速に該当ファイルを更新する。また最も記念となる当日の画像を撮り、該当ファイルに挿入する。すべての画像更新処理が終了した時点で出力装置にて必要数出力し、必要に応じて贈答用の飾り、メッセージ等をいれ、これを贈答用即行画像系図として、挙式に於いては送賓時までにご両親にお渡しする作業であり、また葬儀に於いては帰骨までに喪主、又は遺族にお渡しする作業である。この一連の作業を短時間に遂行することを特徴とする贈答用即行画像系図。
【請求項３】
請求項１、請求項２の記載に基づくプログラムソフト機能として、データの追加修正変更機能、祖先をたどる先祖家系図表示機能、さらに拡大、縮小印刷表示機能をも持つことを特徴とする贈答用即行画像系図。
【請求項４】
請求項１、請求項２の記載に基付き出力される贈答用即行画像系図はパソコン出力装置からの各種記憶媒体として即行作成される御礼をかねた記念品であり、日常生活に便利なコミュニケーションツールとして利用出来ることを特徴とする贈答用即行画像系図。
【請求項５】
過去に執り行われた冠婚葬祭時の記念保存されている情報を入力データ源として請求項１、請求項２、請求項３、請求項４の記載に基づく機能を持つことを特徴とする贈答用即行画像系図。
【発明の詳細な説明】
【技術分野】
【０００１】  本発明は挙式と葬儀における贈答用即行画像系図に関しての記述であるが、親族が一同に会する冠婚葬祭に対応するものである。
【背景技術】
【０００２】  従来、画像使用による家系図作成や簡易操作による家系図作成方法は既に知られている（例えば、特許文献１、特許文献２、特許文献３など）。しかしながら実際に描きだされる家系図は数世代に渡る家系を規制紙面に押し込み配置するため、膨大な横長になったり縦長になり、内容把握に手間がかかるのが一般的であった。【０００３】  そのため身近な部分に特出した家系図作成方法やコミュニケーションツールとして利用価値のある方法も既に知られている（例えば、特許文献３、特許文献４など）。しかしながら簡潔表示の短時間即行作成という方法はなかった。特に生涯の一大行事となる挙式、葬儀において当事者の精一杯の想いを込めた当日のお礼の品として使用でき、かつ日常生活に必要な情報が含まれ、親族の繋がりが容易に一発把握できる簡潔表示の贈答用即行画像系図はなかった。【０００４】  また家系図の作成手段として各家庭に保存されてる過去の冠婚葬祭時の記念写真からのデータを基にした簡潔表示の簡易即行家系図作成方法はなかった。【０００５】
【特許文献１】特開２００１−４３２７１号公報
【特許文献２】特開１１−１１０４４６号公報
【特許文献３】特開２００４−２９５６４８号公報
【特許文献４】特開２００４−１３３８３０号公報
【発明の開示】
【発明が解決しようとする課題】
【０００６】  解決しようとする課題の第１は、最も身近な親族が列席する挙式、葬儀において、その最新画像での繋がりの全体像を容易に把握できるように１枚の紙面に、また画面に簡潔表示し、第２には当日のお礼の品として使用できる即行作製であり、第３には今後起こる追加変更修正機能、祖先を辿る拡張表示機能、さらに拡大、縮小印刷機能にも対応するものである。更に第４には出力媒体を印刷物、ＣＤ，ＤＶＤ、インターネット等の日常生活に便利な情報の含まれるコミュニケーションツールとして利用でき、第５にはご家庭に記念保存されてる過去の冠婚葬祭時のアルバム、記念写真等のデータを基に簡潔表示の家系図作成方法をも提供することにある。
【課題を解決するための手段】
【０００７】  本発明は前記した課題を達成するために、挙式、葬儀の時点で最も繋がりがある親族に絞ることで表示要素数を限定し、挙式に於いては挙式関連の諸データと画像家系図表示に必要な両家ならびに親族の主家名、家族構成、氏名、家系の繋がりのデータとスキャナー、携帯電話、デジカメ等で撮れる仮の顔写真の画像データを入力記憶させた贈答用即行画像系図ファイルを挙式前日までに作成する。同様に葬儀に於いては葬儀関連の諸データと画像家系図表示に必要な故人と遺族と親族の主家名、家族構成、氏名、家系の繋がり等のデータとスキャナー、携帯電話、デジカメ等で撮れる故人と遺族並びに親族の顔写真の画像データを入力記憶させた贈答用即行画像系図ファイルを通夜終日までに作製する。尚、葬儀においては通夜から撮り始める画像が最終決定画像となる為、プロジェクターを常設し、作成過程の視覚的誤謬確認作業を併行させる。【０００８】  次に１枚の紙面に、また画面にその全体像を収める簡潔表示デザインレイアウトを目的として、表示アイテム数を極力おさえた１家族の家系図を最小表示単位の１ブロックとし、そのブロックごとの表示倍率を変え、フレキシブルな配置を施すことにより、限りある余白の有効利用を図る。【０００９】  基準となるブロックの表示倍率は挙式に於いては両家であり、また葬儀に於いては遺族とし、家系の繋がりを示す手段として同一人物の画像を両端矢印実線にて極力最短に連結、題字、背景等、追加デザインを施し、即出力可能な最終レイアウトの贈答用即行画像系図出力ファイルを挙式に於いては挙式前日までに、また葬儀に於いては通夜終日までに作製する作業を第１の手段とする。【００１０】  次に後半の即行作製手段として、挙式当日に於いては仮の画像に代わる最新画像として、両家、親族の写真を祝典の始まるまでの待ち時間に撮り、プロジェクターによる更新過程の視覚的誤謬確認作業を併行させ、迅速に暫時該当ファイルを更新する。また葬儀に於いては、撮り残した人の写真を撮り、告別式始まるまでに通夜からの作業を補足し、記念表示手段となる最も印象に残る画像として、挙式に於いては宣誓、ウェデングケーキ入刀等の記念写真を祝賀加工表示し、また葬儀に於いては故人の遺影、祭壇、出棺等の写真を哀悼加工表示し、該当ファイルに挿入更新する。【００１１】  すべての画像更新処理が終了した時点で出力装置をプリンター、プロッター、コピー機にて、また他のデータ保存装置を、さらにインターネットを使い必要数作成し、贈答用仕様手段として飾り包装を、またメッセージ等を施し、本発明の贈答用即行画像系図として、挙式に於いては送賓時迄にご両親にお渡しする作業であり、また葬儀に於いては帰骨時迄に喪主、又は遺族にお渡しする作業である。この一連の短時間作業を第２の手段とする。【００１２】  プログラムソフト機能手段として、これから起こる新しい縁、新しい誕生、新たな別れ等、追加変更修正を容易に可能にする手段と祖先を辿る表示機能を容易に可能にする手段、電話番号、メールアドレス、所在地、生誕日、死亡日、戒名、メモ等の新たな情報を任意に追加表示できる余白の利用と、認識しやすい大きな文字、大きな画像となる拡大表示印刷機能手段を持ち、さらに会話の話題性として利用できる携帯サイズへの縮小表示印刷機能手段をも持つ。【００１３】  出力装置からの各種記憶媒体として作成される本発明の贈答用即行画像系図は印刷物として、また音声、動画機能をも持つＣＤ，ＤＶＤ、ＭＯ，メール配信、ウェブ公開等として、当日の御礼をかねた記念品であり、日常生活に便利で身近なコミュニケーションツールとして利用できることを可能にする手段をもつ。【００１４】  またご家庭に保存されてる過去に執り行われた冠婚葬祭時のアルバム、記念写真等、更に当事者からのデータ収集を基に本発明の贈答用即行画像系図の作成手段をも持つ。
【発明を実施するための最良の形態】
【００１５】  以下、本発明の具体化した挙式における一実施形態を図１から図６に従って説明する。
【実施例】
【００１６】  図１には本発明の贈答用即行画像系図の挙式における作業流れ図を示しており、その出力媒体を印刷物とした例を表示している。【００１７】  請求項１記載内容の挙式前日までの作業として、挙式関連のデータと画像家系図関連のデータを入力記憶させた贈答用即行画像系図ファイル（Ｚ１）を作成し、一枚の紙面、また画面におさまるよう簡素表示デザインレイアウトを施した贈答用即行画像系図出力ファイル（Ｚ２）を作り上げる作業を示している。尚、挙式までには時間に余裕があるのでこの作業は郵送、メール等にてデータ収集が可能で遠隔地でも対面打ち合わせ等、時間を束縛されることはない。【００１８】  請求項２の記載内容の挙式当日の作業として、挙式の始まるまでに列席者の写真を撮り、該当ファイルを更新する。この時、作成過程画像データの誤謬確認補助機器としてプロジェクター（Ｚ６）にて常設投影し、視覚的に相互チェックする。記念表示となる画像として、宣誓時、入刀等の写真を贈答用即行画像系図出力ファイル（Ｚ２）に挿入、更新してある。【００１９】  すべての画像更新処理が終了した時点でカラープリンターを利用して必要枚数（Ｚ３）出力し、それぞれワンタッチ装着可能な贈答用の飾り包装（Ｚ４）を施し、贈答用即行画像系図として送賓時までにご両親にお渡しする（Ｚ５）作業を示している。【００２０】  図２には本発明の贈答用即行画像系図の簡潔表示デザインレイアウトを達成するために、子供３人家族を例として最小表示単位のブロック（Ａ）を示しており、その最小表示アイテムは主家名（ａ１）、家族構成画像図（ａ２〜ａ６）、画像名（ａ２２〜ａ６６）、繋がり線（１）に限定し、電話番号、メールアドレス、生誕日、所在地等は拡大印刷時のオプション表示項目としている。また故人、欠席者の画像識別表示、さらに繋がり線（１）の線種を変えることで離婚、内妻等の識別表示することもできる。【００２１】  図３には請求項１の記載内容の紙面、また画面有効利用の例図を、顔画像を一部入れて示しており、各ブロックごとの表示倍率を変える方法（Ａ〜Ｄ）と各ブロックのフレキシブルな配置（Ａ〜Ｄ）を示し、親族との繋がりを示す両端矢印実線は最短表示をとる方法として，余白を自由に通り抜ける折れ線表示方法（Ｌ）と１ブロック内の夫、妻の画像位置を変える左右可換（Ｄ１）の方法を示している。【００２２】  図４には本発明の挙式における両家と新郎母方の親族との繋がりの一部分を最終レイアウトを施し、顔画像を一部入れて表示しており、請求項１の記載内容のデザイン追加アイテムとして、新郎新婦の繋がりを強調表示する赤色連結線（Ｐ）、式場名（Ｔ），式場写真（Ｓ）、挙式日（Ｕ）、題字（Ｏ）を表示しており、背景としてグラデーション等を施すこともできる。このとき請求項２の記載内容の最も記念となる画像として、新郎新婦挙式写真をハート型に切り抜き、祝賀加工表示（Ｑ）の処理をする。尚、挙式における題字としてセレモニー系図、メモリアル系図、賀寿系図等も考えられる。【００２３】  請求項３の記載内容のプログラムソフト機能として、祖先をたどる系図表示機能手段となる次ページ゛への基点（Ｒ）を示し、レイアウトの余裕にあわせて拡大印刷時のオプション表示項目と��席の友人、上司、同僚等の画像をも表示配置することもできる。【００２４】  図５には請求項５の記載内容の過去の挙式時に記念撮影された写真を基に贈答用即行画像系図のファイル作成作業例を示しており、最初に式が執り行われた各種データを当事者から、また保存されてるアルバム、パンフレット等からデーター収集し、次に全員が揃う親族との集合写真から各顔画像を切り取り、必要に応じてはアルバムから画像を取り出し、画像加工処理し、贈答用即行画像系図ファイルを作成し、次に記念表示となる画像を取り出し祝賀画像処理し、最終デザインを施して贈答用画像系図出力ファイルを作成する。【００２５】  図６には具体的な例として一人用（Ｖ）と３人用（Ｗ）の掛け軸仕様例を表示している。
【発明の効果】
【００２６】  挙式における送賓時の御両家の想いと、また葬儀における帰骨時の御遺族の想いは滞りなく式が進んだことの感謝と安堵の想いである。そして身近な繋がり、その縁を大切にしたい、大切にしてもらいたいという想いでもある。然るに本発明の贈答用即行画像系図は挙式においては新郎新婦からではなく、ご両家のご両親からそれぞれの親族へ、葬儀においてはご遺族から親族への贈答である。
【００２７】  本発明の贈答用即行画像系図は挙式、葬儀という当事者にとっては生涯一大行事に際し、その精一杯の想いを伝える最新の画像を使用してのタイムリーな即行作成の記念品であり、この時、御礼の自筆メッセージを記したカード等を添えることで更に効果をあげるものである。
【００２８】  本発明は１枚の紙面、また画面上への簡潔画像表示により全体像、繋がり、主家毎の顔画像から名前へとイメージ連鎖が容易となり、ご家庭の目のつくところに印刷物として、貼っておくことで日常生活に便利な連絡簿としての利用効果がある。また拡大表示印刷機能による余白利用によって電話番号、メールアドレス、所在地、生誕日、死亡日、戒名、メモ等、新たな情報を任意に追加表示することで更に付加価値の高い道具となるものである。また、この拡大印刷は大きな文字、大きな画像表示となり、お年寄りにも利用価値が広がるものである。同様に縮小表示印刷機能においては携帯に便利なサイズに縮小印刷することで会話のコミュニケーションツールとして話題性効果があり、グッツ利用として暦、アルバム、額、パネル、掛け軸等、広範囲な利用効果を持ち、特に御家族それぞれの贈答用即行画像系図をファイルとしたアルバムとして、また掛け軸仕様につくることで、ご家庭の変遷してきた時代の流れ、その歴史をいつでもひもどき楽しめる効果がある。
【００２９】  また出力媒体を音声、動画機能を持つＣＤ，ＤＶＤ、ＭＯ，メール配信、ウェブ公開等にすることでオンライン、オフラインを問わず日常生活に便利な道具となり、特に本発明を冠婚葬祭業界が管理提供することにより、付加価値の高い各種オリジナル品としての販促効果を生み、大型出力装置を所持することでＡ０，Ａ１サイズの高品質即行印刷が可能となり、列席者へのクチコミ効果による継続受注効果は絶大である。さらに図６に示す新たなオリジナル商品の提供は過去の顧客を掘り起こし、総合的な受注効果が期待できる。また、贈られた側の効果の一例として、ご家族の両親、祖父、祖母等の記念日に贈呈することで、華やかに輝いていた時代の一時をご家族で共有でき、この時その当日の、またその年代の印象的なニュースを付加すると更に効果があがるものである。
【００３０】  またソフト開発業界においては多様な雛型の提供と、対話形式による操作性を単純化した、ユーザーオリエンテッドなアプリケーションソフトとして製品化することで、一般パソコンユーザーが簡単便利に利用できる身近な家系図作成道具となり、業界での販路効果が期待できるし、ユーザーにとっては家族の絆を確かめる各種賀寿プランにおいてもユニークな催事の記念品として手軽に利用できる。
【００３１】  この機能効果は祭事に限定されることなく日常生活行事に必要な最新の連絡簿としても作成有効利用できるものである。特に人生の終焉をそろそろ考える世代にとっては、本人がここだけは連絡してもらいたい人の連絡簿として生前作成しておくことで当人とってはまわりに迷惑を少しでもかけたくない想いもあり、安心材料となるものである。
【図面の簡単な説明】
【００３２】
【図１】  本発明の挙式における一実施形態の処理手順を出力媒体を印刷物とした例の説明図。
【図２】  簡潔表示手段として最小表示要素を子供３人家族を例に１ブロックとした説明図。
【図３】  紙面、及び画面の有効利用を図る手段を示す説明図。
【図４】  本発明により作成される家系図の一実施形態として両家と新郎母方の親族との繋がりの一部分を表示し、最終デザインレイアウトを施した例の説明図。
【図５】  過去の挙式時のデータをもとにして作成する贈答用即行画像系図のファイル作成手順の説明図。
【図６】  本発明を掛け軸仕様に製品化した例図。
【符号の説明】
【００３３】Ｚ１…贈答用即行画像系図ファイル、Ｚ２…贈答用即行画像系図出力ファイル、
Ｚ３…印刷された贈答用即行画像系図、Ｚ４…贈答用備品を施した贈答用即行画像系図、
Ｚ５…贈答用即行画像系図を渡す送賓時、Ｚ６…プロジェクター、
Ａ…子供３人家族を例とした最小表示単位のブロック図、
ａ１…主家名、ａ２〜ａ６…各画像写真、ａ２２〜ａ６６…各氏名、１…家族の繋がり線、
Ａ〜Ｄ…各主家毎のブロック図、Ｄ１…夫、妻の画像位置可換例図、
Ｌ…各家系の繋がり線、Ｏ…題字、
Ｐ…婚姻を強調表示する赤色連結線、Ｑ…祝賀表示記念画像、
Ｒ…祖先を辿る起点マーク、Ｓ…式場写真、Ｔ…式場名、Ｕ…挙式日、
Ｅ…挙式時の情報材料群、Ｅ１…アルバム、Ｅ２…当事者の話、Ｅ３…パンフレット、
Ｆ…挙式時の親族との集合記念写真、Ｊ…新郎新婦挙式記念写真、
Ｖ…掛け軸とした例図、Ｖ１…一人の贈答用即行画像系図、
Ｗ…複数を併設した掛け軸の例図、Ｗ１〜Ｗ３…三人の贈答用即行画像系図。
【図１】
2007149040.tif 000003
【図２】
2007149040.tif 000004
【図３】
2007149040.tif 000005
【図４】
2007149040.tif 000006
【図５】
2007149040.tif 000007
【図６】
2007149040.tif 000008